(57)【特許請求の範囲】
【請求項１】
少なくともリファレンス信号と同期信号とデータ信号が順に記録された記録媒体より再生される上記データ信号を記憶するメモリ手段と、
上記メモリ手段に記憶されたデータ信号の誤り訂正すると共に訂正できない誤りが発生した場合には誤り信号を発生する誤り訂正手段と、
上記記録媒体より再生されるリファレンス信号を検出して同期信号が再生されるタイミングに関係付けてウィンドウ信号を生成するウィンドウ信号生成手段と、
上記メモリ手段の書き込み動作を開始させる第１の書込開始信号を上記記録媒体より再生される同期信号を検出したときに生成する同期検出手段と、
上記メモリ手段の書き込み動作を開始させる第２の書込開始信号を上記ウィンドウ信号生成手段で生成されたウィンドウ信号の終了に関係付けて生成するデータスタート信号生成手段と、
上記ウィンドウ信号と上記第１の書込開始信号に基づいて、第１の書込開始信号と上記第２の書込開始信号のいずれかの書込開始信号を選択して上記メモリ手段に供給する信号選択手段とを有し、
上記ウィンドウ信号が生成されている期間中に上記同期検出手段で第１の書込開始信号が生成されたときには、上記信号選択手段では第１の書込開始信号を選択して、上記メモリ手段に上記データ信号を最初から記憶させて上記誤り訂正手段で誤り訂正を行うものとし、上記ウィンドウ信号が生成されている期間中に上記同期検出手段で第１の書込開始信号が生成されないときには、上記信号選択手段では第２の書込開始信号を選択して、上記メモリ手段に上記データ信号を途中から記憶させて、上記誤り訂正手段から誤り信号を発生させることを特徴とするデータ再生装置。
【請求項２】
上記記録媒体は光ディスクであり、上記リファレンス信号は、上記光ディスクに予め記録されたプリフォーマット部の信号を用いることを特徴とする請求項１に記載のデータ再生装置。
【発明の詳細な説明】
【０００１】
【産業上の利用分野】
この発明はデータ再生装置に関する。詳しくは、光ディスク等の記録媒体に記録されている信号を読み出し誤り訂正がなされたデータを出力するデータ再生装置であって、記録媒体から読み出される信号に基づき同期信号の検出を行い、同期信号が検出されないときには誤り訂正が正しくなされなかったことを示す誤り信号を発生させるようにしたものである。
【０００２】
【従来の技術】
光ディスク、例えば１３０ｍｍ光ディスクでは、図３Ａに示すように光ディスク１の半径３０ｍｍ〜６０ｍｍの記録領域にスパイラル状のトラックが形成されており、トラックは１周分が１７セクタに分割されている。この各セクタには、図３Ｂに示すようなフォーマットでデータが記録される。
【０００３】
図３Ｂにおいて、５２バイトのプリフォーマット部ＰＦはセクタマーカＳＭ、データＶＦＯ１，ＶＦＯ２、アドレスマーカＡＭ、識別データＩＤ、エラー検出コードＣＲＣおよびポストアンブルＰＡで構成されている。このセクタマーカＳＭは、セクタ・フォーマットの先頭を示すものであり、データＶＦＯ（variable frequency osillator）は、クロックを生成するためのＰＬＬ発振器の動作引き込み用として使用される単一周波数の信号である。またアドレスマーカＡＭは、プリフォーマット部のコードデータの開始位置を示すものである。識別データＩＤはトラック番号やセクタ番号等を示すものであり、エラー検出コードＣＲＣはエラー検出符号である。この識別データＩＤおよびエラー検出コードＣＲＣは３回繰り返される。このプリフォーマット部ＰＦのデータは予め光ディスクに記録される。
【０００４】
プリフォーマット部ＰＦに続く１４バイトの領域は、トラッキングエラー信号のオフセットの検出や２重書き防止およびレーザ出力調整のためのデータＯＤＦ，ＦＬＡＧ，ＡＬＰＣで構成される。この１４バイトの領域に続く１２７４バイトのデータ部ＤＴは、１２バイトのデータＶＦＯ３と３バイトの同期信号ＳＹＮＣおよび１２５９バイトのデータ領域ＤＡＴＡで構成され、このデータ部ＤＴの後にはデータの記録されていない２０バイトのバッファ領域ＢＵＦＦＥＲが設けられており、このバッファ領域ＢＵＦＦＥＲによって、プリフォーマット部ＰＦとの境界が明確にされる。
【０００５】
光ディスクのデータ領域ＤＡＴＡは図４に示すような構成とされる。図４において、３バイトの同期信号ＳＹＮＣの後のデータ領域ＤＡＴＡには、１０２４バイトのデータＤ１〜Ｄ１０２４が記録される。このデータＤ１０２４の後には、１２バイトのＤＭポインタＰ１，１〜Ｐ３，４、４バイトの誤り検出用のＣＲＣコードＣ１〜Ｃ４および１６０バイトの誤り検出訂正コード（ＥＣＣ）Ｅ１，１〜Ｅ１０，１６が記録される。
また、データ領域ＤＡＴＡ内での同期ずれを防止するために、１バイトの同期用コードＲＳが２０バイト毎に記録される。
【０００６】
このようなフォーマットでデータが記録された光ディスクからデータを読み出すデータ再生装置は、例えば図５に示すような構成とされる。
【０００７】
図５において、光ディスク１に記録された信号を読み出すための光ヘッド部２は、レーザダイオードやレーザダイオードからのレーザ光を光ディスク１に照射して得られる反射光を電気信号に変換するＲＦ検出器などから構成される。この光ヘッド部２から出力される電気信号は、アンプ部３で増幅されて再生信号ＤＳとして同期検出部４と横縦変換メモリ部５に供給される。
【０００８】
同期検出部４では、再生信号ＤＳからデータの先頭を示す３バイトの同期信号ＳＹＮＣの検出が行われる。この同期検出部４で３バイトの同期信号ＳＹＮＣが検出されたときには同期検出信号ＳＤが横縦変換メモリ部５に供給される。
【０００９】
横縦変換メモリ部５では同期検出信号ＳＤが供給されたときに再生信号ＤＳの書き込みが開始されて、例えば図４に示すように同期用コードＲＳを除き１０バイト単位で順次横方向にデータＤ１〜Ｄ１０２４、ＤＭポインタＰ１，１〜Ｐ３，４、ＣＲＣコードＣ１〜Ｃ４および誤り検出訂正コードＥ１，１〜Ｅ１０，１６が書き込まれる。横縦変換メモリ部５に書き込まれたデータ信号ＳＤは、データＤ１、データＤ１１、データＤ２１・・・の順に縦方向に読み出され横縦変換データＳＤＣとしてＥＣＣデコーダ部６に供給される。
【００１０】
ＥＣＣデコーダ部６では、横縦変換データ信号ＳＤＣの１列毎に誤り検出訂正コードを用いてデータの誤り訂正が行われる。例えばデータＤ１、Ｄ１１、〜Ｄ１０２１に対しては誤り検出訂正コードＥ１，１、Ｅ１，２、〜Ｅ１，１６でもって誤り訂正が行われ、データＤ２、〜Ｄ１０２２に対しては誤り検出訂正コードＥ２，１、〜Ｅ２，１６でもって誤り訂正が行われる。以下同様に処理されてデータＤ１〜Ｄ１０２１、Ｄ２〜Ｄ１０２２、・・・Ｄ１０〜Ｄ１０２０の誤り訂正が行われる。
【００１１】
この誤り訂正が行われたデータは縦方向データＤＡＶとして縦横変換メモリ部７に供給される。縦横変換メモリ部７では、縦方向データＤＡＶが例えばデータＤ１、データＤ１１、データＤ２１・・・の順に縦方向に書き込まれる。その後、書き込まれた誤り訂正後のデータはデータＤ１、データＤ２、データＤ３・・・の順に横方向に読み出されてデータインタフェース部８を介して図示しない外部装置に供給される。
【００１２】
【発明が解決しようとする課題】
ところで、同期検出部４で検出される３バイトの同期信号ＳＹＮＣに誤りが発生した場合には、同期検出信号ＳＤが同期検出部４から横縦変換メモリ部５に供給されないので、再生信号ＤＳは横縦変換メモリ部５に書き込まれない。
【００１３】
このため、ＥＣＣデコーダ部６では横縦変換メモリ部５に既に書き込まれていたデータに対して誤り訂正が行われて縦横変換メモリ部７からデータインタフェース部８を介して外部装置に供給されるので、読み出したいブロックのデータとは異なるデータが外部装置に供給されてしまう場合があった。
【００１４】
またこのような場合には、ＥＣＣデコーダ部６で訂正が出来ないような誤りが発生したことが検出されることがないので、所望するブロックでないデータであってもデータが異常であることを検出することができなかった。
【００１５】
そこで、この発明では、誤ったデータの出力を防止できるデータ再生装置を提供する。
【００１６】
【課題を解決するための手段】
この発明に係るデータ再生装置は、少なくともリファレンス信号と同期信号とデータ信号が順に記録された記録媒体より再生されるデータ信号を記憶するメモリ手段と、メモリ手段に記憶されたデータ信号の誤り訂正すると共に訂正できない誤りが発生した場合には誤り信号を発生する誤り訂正手段と、記録媒体より再生されるリファレンス信号を検出して同期信号が再生されるタイミングに関係付けてウィンドウ信号を生成するウィンドウ信号生成手段と、メモリ手段の書き込み動作を開始させる第１の書込開始信号を記録媒体より再生される同期信号を検出したときに生成する同期検出手段と、メモリ手段の書き込み動作を開始させる第２の書込開始信号をウィンドウ信号生成手段で生成されたウィンドウ信号の終了に関係付けて生成するデータスタート信号生成手段と、ウィンドウ信号と第１の書込開始信号に基づいて、第１の書込開始信号と第２の書込開始信号のいずれかの書込開始信号を選択してメモリ手段に供給する信号選択手段を有するものである。
【００１７】
【作用】
この発明においては、ウィンドウ信号生成手段でのウィンドウ信号の生成期間中に同期検出手段で同期信号が検出されて第１の書込開始信号が生成されたときには、第１の書込開始信号によってメモリ手段にデータ信号が最初から記憶させると共に誤り訂正手段で誤り訂正が行われる。また、ウィンドウ信号の生成期間中に同期検出手段で同期信号が検出されず第１の書込開始信号が生成されないときには、ウィンドウ信号の終了に関係付けて生成された第２の書込開始信号によってメモリ手段にデータ信号が途中から記憶されるので、誤り訂正手段で訂正できない誤りが発生されたことが検出されて誤り信号が発生される。
【００１８】
【実施例】
以下、図１を参照しながら、この発明に係るデータ再生装置の一実施例の構成について説明する。なお、図１において、図５と対応する部分については同一符号を付しその詳細な説明は省略する。
【００１９】
図１において、アンプ部３からの再生信号ＤＳは同期信号検出手段を構成する同期検出部４ａに供給されると共に、遅延部９とウィンドウ信号生成手段を構成するリファレンス検出部１０に供給される。遅延部９では再生信号ＤＳが所定時間遅延され、遅延された再生信号ＤＳは遅延再生信号ＤＤＳとしてメモリ手段である横縦変換メモリ部５に供給される。リファレンス検出部１０では再生信号ＤＳからリファレンス信号（例えばセクタの先頭を示すセクタマークＳＭ）が検出される。このリファレンス検出部１０でリファレンス信号が検出されたときには、リファレンス検出信号ＲＦＤがウィンドウ信号生成手段を構成するウィンドウ信号発生部１１に供給される。
【００２０】
ウィンドウ信号発生部１１では、リファレンス検出信号ＲＦＤが供給されてから所定時間τａ経過後に、所定の時間幅τｂを有するウィンドウ信号ＷＤが生成される。このウィンドウ信号ＷＤは同期検出部４ａと同期検出手段を構成する外部同期検出部１２およびデータスタート信号生成手段であるデータスタート信号発生部１３に供給される。なお、所定時間τａはリファレンス信号が読み出されてから３バイトの同期信号ＳＹＮＣが読み出されるタイミングに合わせて設定されるものであり、時間幅τｂはリファレンス信号が読み出されてから３バイトの同期信号ＳＹＮＣが読み出されるまでに要する時間のジッタによって生じる時間変動を考慮して設定されるものである。
【００２１】
同期検出部４ａでは、ウィンドウ信号ＷＤが供給されている期間中にアンプ部３からの再生信号ＤＳの３バイトの同期信号ＳＹＮＣの検出が行われる。ここで、３バイトの同期信号ＳＹＮＣが検出されたときには同期検出信号ＳＤが外部同期検出部１２と信号選択手段である信号選択部１４に供給される。
【００２２】
一方、データスタート信号発生部１３ではウィンドウ信号ＷＤの終了に伴いスタート信号ＳＴが生成されて信号選択部１４に供給される。
【００２３】
外部同期検出部１２では、ウィンドウ信号ＷＤが供給されている期間中に同期検出信号ＳＤが供給されたか否かを示す信号が生成される。この信号は切換信号ＳＥとして信号選択部１４に供給される。
【００２４】
信号選択部１４では、外部同期検出部１２からの切換信号ＳＥに基づき、ウィンドウ信号ＷＤが供給されている期間中に同期検出信号ＳＤが供給されたことが外部同期検出部１２で検出されたときには、同期検出部４ａから供給された同期検出信号ＳＤが選択されて横縦変換メモリ部５に供給される。また、ウィンドウ信号ＷＤが供給されている期間中に同期検出信号ＳＤが供給されたことが外部同期検出部１２で検出されないときには、データスタート信号発生部１３から供給されたスタート信号ＳＴが選択されて横縦変換メモリ部５に供給される。
【００２５】
横縦変換メモリ部５では、信号選択部１４からの同期検出信号ＳＤあるいはスタート信号ＳＴに基づき、遅延部９からの遅延再生信号ＤＤＳの書込が開始される。
【００２６】
その後、横縦変換メモリ部５に書き込まれた遅延再生信号ＤＤＳは、従来のデータ再生装置と同様に誤り訂正手段であるＥＣＣデコーダ部６で処理されて、縦横変換メモリ部７からデータインタフェース部８を介して外部装置に供給される。
【００２７】
次に図２を使用して動作を説明する。図２において図２Ａは再生信号ＤＳを示しており図２Ｂは遅延再生信号ＤＤＳを示している。まず、時点ｔ1で再生信号ＤＳがセクタマークＳＭであったことがリファレンス検出部１０で検出されると、図２Ｃに示すリファレンス検出部１０からのリファレンス検出信号ＲＦＤはハイレベル「Ｈ」とされる。ウィンドウ信号発生部１１では、このリファレンス検出信号ＲＦＤの立ち上がりから所定時間τａ経過後の時点ｔ2より、図２Ｄに示すウィンドウ信号ＷＤがハイレベル「Ｈ」とされる。なお、ウィンドウ信号ＷＤのハイレベル「Ｈ」の期間は時点ｔ2から時点ｔ5までの所定時間τｂとされる。
【００２８】
この時点ｔ2から時点ｔ5までのウィンドウ信号ＷＤのハイレベル「Ｈ」の期間中に、再生信号ＤＳが３バイトの同期信号ＳＹＮＣであったことが同期検出部４ａで検出されて、図２Ｅに示す同期検出信号ＳＤが時点ｔ3でハイレベル「Ｈ」とされると、外部同期検出部１２からの切換信号ＳＥによって信号選択部１４では同期検出部４ａからの同期検出信号ＳＤが選択されて横縦変換メモリ５に供給される。
【００２９】
横縦変換メモリ５では、時点ｔ4の同期検出信号ＳＤの立ち下がり同期して遅延再生信号ＤＤＳがデータＤ１より書き込まれ、このデータに対して誤り訂正が行われて外部機器に供給される。
【００３０】
次に、時点ｔ2から時点ｔ5までのウィンドウ信号ＷＤのハイレベル「Ｈ」の期間中に、再生信号ＤＳが３バイトの同期信号ＳＹＮＣであったことが同期検出部４ａで検出されない場合、外部同期検出部１２からの切換信号ＳＥによって、信号選択部１４ではデータスタート信号発生部１３からの図２Ｆに示すスタート信号ＳＴが選択されて横縦変換メモリ５に供給される。
【００３１】
スタート信号ＳＴは、ウィンドウ信号発生部１１からのウィンドウ信号ＷＤのハイレベル「Ｈ」の期間が終了される時点ｔ5でハイレベル「Ｈ」とされ、時点ｔ6でローレベル「Ｌ」とされる。横縦変換メモリ５では、この時点ｔ6のスタート信号ＳＴの立ち下がりに同期して遅延再生信号ＤＤＳのデータＤ１以降のデータから書込が開始される。
【００３２】
横縦変換メモリ５に書き込まれたデータは、ＥＣＣデコーダ部６で誤り訂正が行われるが、データが途中から書き込まれたために訂正できないような誤りが発生したことがＥＣＣデコーダ部６で検出される。このため、外部機器に対してのデータ供給が停止される。なお、スタート信号ＳＴは遅延再生信号ＤＤＳのデータＤ１以降のデータを横縦変換メモリ５に書き込むためのものであるために、ウィンドウ信号ＷＤのハイレベル「Ｈ」の期間が終了される時点ｔ5以降にハイレベル「Ｈ」とされるものであっても良い。
【００３３】
このように、上述した実施例によれば、３バイトの同期信号ＳＹＮＣに誤りが発生した場合には、ＥＣＣデコーダ部６によって誤りが検出されるので、所望するブロックでないデータが出力されることを防止できる。
【００３４】
なお、上述した実施例ではセクタマークＳＭをリファレンス信号としてリファレンス検出部１０で検出するものとしたが、リファレンス信号はセクタマークＳＭに限られるものではなく、例えばアドレスマークＡＭ等であってもよい。また、スタート信号ＳＴがハイレベル「Ｈ」とされた時に、横縦変換メモリ５にＥＣＣデコーダ部６で訂正できないダミーデータの書き込み、あるいは横縦変換メモリ５のデータをリセットするものとすれば、ＥＣＣデコーダ部６によって誤りが確実に検出されるので、所望するブロックでないデータが出力されることをより確実に防止することできる。
【００３５】
さらに、データ再生装置は記録媒体として光ディスクを使用するものだけでなく、磁気ディスク等を使用するものであってもよいことは勿論である。
【００３６】
【発明の効果】
この発明によれば、ウィンドウ信号生成手段でのウィンドウ信号の生成期間中に同期検出手段で同期信号が検出されてたときには、メモリ手段にデータ信号が最初から記憶させると共に誤り訂正手段で誤り訂正が行われ、ウィンドウ信号の生成期間中に同期検出手段で同期信号が検出されないときには、メモリ手段にデータ信号が途中から記憶されるので、誤り訂正手段で訂正できない誤りが発生されたことが検出されて誤り信号が発生される。
【００３７】
このため、同期信号が検出されない場合には誤り訂正手段で誤りが確実に検出されるので、既にメモリ手段に記憶された所望するデータ信号とは異なるデータ信号が誤って外部機器に供給されることを防止することができる。また光ディスクに予め記録されたプリフォーマット部の信号がリファレンス信号として用いられるので、光ディスクにリファレンス信号を記録する処理を不要とすることができると共に、予め記録されたプリフォーマット部の信号が用いられることでリファレンス信号を誤りなく確実に検出することができる。
【図面の簡単な説明】
【図１】この発明に係るデータ再生装置の一実施例の構成を示す図である。
【図２】実施例の動作を示す図である。
【図３】光ディスク上の記録フォーマットを示す図である。
【図４】データ領域の構成を示す図である。
【図５】従来のデータ再生装置の構成を示す図である。
【符号の説明】
１  光ディスク
２  光ヘッド部
３  アンプ部
４，４ａ  同期検出部
５  横縦変換メモリ部
６  ＥＣＣデコーダ部
７  縦横変換メモリ部
８  データインタフェース部
９  遅延部
１０  リファレンス検出部
１１  ウィンドウ信号発生部
１２  外部同期検出部
１３  データスタート信号発生部
１４  信号選択部
【図１】
0003646336.tif 000002
【図２】
0003646336.tif 000003
【図３】
0003646336.tif 000004
【図４】
0003646336.tif 000005
【図５】
0003646336.tif 000006